(57)【要約】【課題】乗員が持ち込んだコンテンツを、簡単に該乗員の近傍に設置された出力装置から再生出力することができる車載用マルチメディアシステムを提供する。【解決手段】この車載用マルチメディアシステム１は、車両内で映像、音声、及び文字情報を含むデータの全て、若しくはそれらの内の何れかで構成されるコンテンツを再生する車載用映像音響機器２１と、車載用映像音響機器２１に接続されると共に、車両内の各座席（Ａ〜Ｄ）近傍に設置され、乗員が持ち込んだ記憶装置１２ａ〜１２ｄを接続するための記憶装置接続端末１１ａ〜１１ｄと、車載用映像音響機器２１の再生結果を出力する出力装置３１ａ〜３１ｄと、を備えて構成される車載用マルチメディアシステム１である。【選択図】図１
2010006227.tif 000002
【特許請求の範囲】
【請求項１】
車両内で映像、音声、及び文字情報を含むデータの全て、若しくはそれらの内の何れかで構成されるコンテンツを再生する車載用映像音響機器と、該車載用映像音響機器に接続されると共に、前記車両内の各座席近傍に設置され、該車載用映像音響機器の再生結果を出力する出力装置と、を備えて構成される車載用マルチメディアシステムであって、
前記車載用映像音響機器は、前記コンテンツが格納されている記憶装置を接続するための少なくとも１つ以上の記憶装置接続端子と、
該記憶装置接続端子の夫々に対応して前記記憶装置が接続されたことを検出する接続検出手段と、
前記記憶装置接続端子の夫々に対応して前記記憶装置に格納されているコンテンツのデータを読み取って再生する再生部と、
前記各記憶装置接続端子と座席位置とを対応付けて前記接続検出手段における検出結果に基づき前記各再生部の再生出力を合成して前記各出力装置に向けて分配する合成・分配部と、を備え、
前記記憶装置が接続された前記記憶装置接続端子の位置に対応付けられた座席近傍の前記出力装置から前記合成・分配部により分配された再生結果を出力することを特徴とする車載用マルチメディアシステム。
【請求項２】
前記記憶装置接続端子を車両内の各座席近傍に備えることを特徴とする請求項１に記載の車載用マルチメディアシステム。
【請求項３】
前記記憶装置は、記憶媒体である半導体メモリーと駆動装置とが一体となって構成されていることを特徴とする請求項１に記載の車載用マルチメディアシステム。
【請求項４】
前記記憶装置は、記憶媒休と駆動装置とが別体になっていて、前記駆動装置が前記記憶媒休の装着を検出する媒体装着検出部と、前記媒体装着検出部による装着検出状態を前記車載用映像音響機器へ伝える伝達手段とを有し、
前記接続検出手段は、前記媒体装着検出部からの装着検出状態に基づいて接続判定を行うことを特徴とする請求項１に記載の車載用マルチメディアシステム。
【発明の詳細な説明】
【技術分野】
【０００１】
本発明は、車載用マルチメディアシステムに関し、さらに詳しくは、乗員が持ち込んだコンテンツを再生する車載用マルチメディアシステムに関するものである。
【背景技術】
【０００２】
近年、自動車等の車両内で映像や音楽等のコンテンツを視聴するための車載用マルチメディアシステムが開発されており、各乗員がそれぞれの好みに応じたコンテンツを個別に視聴できるようになっている。
従来技術として特許文献１では、図４に示す構成を用い、ＣＤプレーヤ２やＭＤプレーヤ３などの音響機器が視聴用に使用されていないときにコンテンツをデータ記憶媒体１４に転送しておき、各乗員の近傍に配置された操作・表示部２３を使用し、各乗員がデータ記億媒体１４の中から希望するコンテンツを選択することで、各乗員の近傍に配置された音声出力装置３２、３３で乗員ごとに別々に視聴できるようにしていた。
また、特許文献２には、上述のように各乗員の近傍に配置された音声出力装置から乗員ごとに所要の音声信号を出力させる手段として、ハンズフリーシステムを使用することが開示されている。これは、車両に設置された車両用データ入出カ装置の中に個人情報入力手段として各乗員の個人声紋情報を記憶させておき、各乗員の近傍に設置されたマイクから入力された音声と個人声紋情報とを比較することで、各乗員の着席位置を認識し、通話している乗員の近傍に設置されたスピーカからのみ乗員の通話内容を出力するものである。
また、特許文献３では、図５のような構成を用い、車載音響機器１００と複数ある携帯音響機器２００とが車内無線通信で接続されていた。このシステムでは、車載音響機器１００からの制御により、視聴希望に応じて全ての携帯音響機器２００が保有する音楽データの中から少なくとも１つが選択され、携帯音響機器２００が車載音響機器１００へこの音楽データを送信し、車載音響機器１００が再生出力していた。即ち、このシステムにおいては、車載音響機器１００での再生出力対象となる音楽データを保有する携帯音響機器２００を順番に選択する方法、及び携帯音響機器１００での再生出力を併用する方法により各乗員の好みに応じたコンテンツを視聴できるようにしていた。
【特許文献１】特開２０００―２０７８４５公報
【特許文献２】特開２００５―２１８０１０公報
【特許文献３】特開２００１―２９６８７５公報
【発明の開示】
【発明が解決しようとする課題】
【０００３】
しかし、特許文献１に開示されている従来技術は、音響機器に初めて装着されたＣＤ等の媒体に収められたコンテンツを、各乗員が好みに応じて別々に、且つ即座に視聴することができないという問題があった。また、各乗員が持ち込んだ媒体は、それぞれの乗員の好みによりコンテンツが構成されていることがほとんどであるのに対し、各乗員の近傍に配置された操作・表示部を使用して視聴を希望するコンテンツを選択しなければならないという煩わしさがあった。
また、特許文献２に開示されている従来技術には、乗員の着席位置を判別して所要の音声信号を各乗員の近傍に設置されたスピーカから出力する方法が提案されているが、車載用マルチメディアシステムにおいては、元来ハンズフリーシステムのように乗員の声をマイクで収集する必然性が無いために、声紋照合させることは乗員にとって煩わしいものになるという問題があった。
また、特許文献３に開示されている従来技術には、各乗員が保有する携帯音響機器２００を順番に選択して再生する方法が提案されているが、この場合は、必ずしも常時希望するコンテンツが視聴できるわけではないという問題があった。更に、携帯音響機器２００における再生を併用することが提案されているが、この場合は車載の出力装置を利用することができないから、ヘッドホンを装着しなければならない等の不便があった。
本発明は、かかる課題に鑑みてなされたものであり、コンテンツを記憶した記憶装置を座席に備えられた記憶装置接続端子に接続することにより、乗員が持ち込んだコンテンツを、簡単に該乗員の近傍に設置された出力装置から再生出力することができる車載用マルチメディアシステムを提供することを目的とする。
【課題を解決するための手段】
【０００４】
本発明はかかる課題を解決するために、請求項１は、車両内で映像、音声、及び文字情報を含むデータの全て、若しくはそれらの内の何れかで構成されるコンテンツを再生する車載用映像音響機器と、該車載用映像音響機器に接続されると共に、前記車両内の各座席近傍に設置され、該車載用映像音響機器の再生結果を出力する出力装置と、を備えて構成される車載用マルチメディアシステムであって、前記車載用映像音響機器は、前記コンテンツが格納されている記憶装置を接続するための少なくとも１つ以上の記憶装置接続端子と、該記憶装置接続端子の夫々に対応して前記記憶装置が接続されたことを検出する接続検出手段と、前記記憶装置接続端子の夫々に対応して前記記憶装置に格納されているコンテンツのデータを読み取って再生する再生部と、前記各記憶装置接続端子と座席位置とを対応付けて前記接続検出手段における検出結果に基づき前記各再生部の再生出力を合成して前記各出力装置に向けて分配する合成・分配部と、を備え、前記記憶装置が接続された前記記憶装置接続端子の位置に対応付けられた座席近傍の前記出力装置から前記合成・分配部により分配された再生結果を出力することを特徴とする。
請求項２は、前記記憶装置接続端子を車両内の各座席近傍に備えることを特徴とする。
請求項３は、前記記憶装置は、記憶媒体である半導体メモリーと駆動装置とが一体となって構成されていることを特徴とする。
請求項４は、前記記憶装置は、記憶媒休と駆動装置とが別体になっていて、前記駆動装置が前記記憶媒休の装着を検出する媒体装着検出部と、前記媒体装着検出部による装着検出状態を前記車載用映像音響機器へ伝える伝達手段とを有し、前記接続検出手段は、前記媒体装着検出部からの装着検出状態に基づいて接続判定を行うことを特徴とする。
【発明の効果】
【０００５】
本発明によれば、記憶装置が接続された記憶装置接続端子の位置に対応付けられた座席近傍の出力装置から合成・分配部により合成された再生結果を出力するので、乗員が持ち込んだコンテンツを、簡単に該乗員の近傍に設置された再生出カ装置から再生することができ、乗員の利便性と操作性を向上することができる。
【発明を実施するための最良の形態】
【０００６】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の車載用マルチメディアシステムの構成例を示す図である。自動車の車両内には座席Ａ、Ｂ、Ｃ、Ｄが存在するものとして説明する。この車載用マルチメディアシステム１は、車両内で映像、音声、及び文字情報を含むデータの全て、若しくはそれらの内の何れかで構成されるコンテンツを再生する車載用映像音響機器２１と、車載用映像音響機器２１に接続されると共に、車両内の各座席（Ａ〜Ｄ）近傍に設置され、車載用映像音響機器２１の再生結果を出力する出力装置３１ａ〜３１ｄと、を備えて構成される車載用マルチメディアシステム１であって、車載用映像音響機器２１は、コンテンツが格納されている記憶装置１２ａ〜１２ｄを接続するための記憶装置接続端子１１ａ〜１１ｄと、記憶装置接続端子１１ａ〜１１ｄの夫々に対応して記憶装置１２ａ〜１２ｄが接続されたことを検出する接続検出手段２１２と、記憶装置接続端子１１ａ〜１１ｄの夫々に対応して記憶装置１２ａ〜１２ｄに格納されているコンテンツデータ１２１ａ〜１２１ｄを読み取って再生する再生部２１１ａ〜２１１ｄと、各記憶装置接続端子１１ａ〜１１ｄと座席位置とを対応付けて接続検出手段２１２における検出結果に基づき各再生部２１１ａ〜２１１ｄの再生出力を合成して各出力装置３１ａ〜３１ｄに向けて分配する合成・分配部２１３と、を備え、記憶装置１２ａ〜１２ｄが接続された記憶装置接続端子１１ａ〜１１ｄの位置に対応付けられた座席（Ａ〜Ｄ）近傍の出力装置３１ａ〜３１ｄから合成・分配部２１３により合成された再生結果を出力する。
【０００７】
即ち、映像と音声から構成されるコンテンツに関わるデータは記憶装置１２ａ、１２ｂ、１２ｃ、１２ｄにコンテンツデータ１２１ａ、１２１ｂ、１２１ｃ、１２１ｄとして格納されていて、それぞれは座席Ａ  、Ｂ  、Ｃ  、Ｄに着席する乗員が保有するものとし、記憶装置１２ａ、１２ｂ、１２ｃ、１２ｄ  は、それぞれ座席近傍に設置された記憶装置接続端子１１ａ、１１ｂ、１１ｃ、１１ｄを介し、車載用映像音響機器２１に接続されている。
記憶装置接続端子１１ａと車載用映像音響機器２１とは、通信線１３１ａ、接続検出線１３２ａ、グランド線１３３ａからなる接続ケーブル１３ａで接続されていて、記憶装置接続端子１１ｂ、１１ｃ、１１ｄも同様に接続されている。
車載用映像音響機器２１は、コンテンツデータ１２１ａ、１２１ｂ、１２１ｃ、１２１ｄをそれぞれ再生するために、通信線１３１ａ、１３１ｂ、１３１ｃ、１３１ｄが接続された再生部２ｌｌａ、２ｌｌｂ、２ｌｌｃ、２ｌｌｄを有し、その再生結果は合成・分配部２１３へ出力される。
【０００８】
また、車載用映像音響機器２１には更に、記憶装置１２ａ、１２ｂ、１２ｃ、１２ｄが記憶装置接続端子１１ａ、１１ｂ、１１ｃ、１１ｄへ接続されたことをそれぞれ検出するために、接続検出線１３２ａ、１３２ｂ、１３２ｃ、１３２ｄを入力とする接続検出手段２１２を有し、それぞれの検出状態を示す検出結果２１４を合成・分配部２１３へ出力している。
更に、再生部２ｌｌａ、２ｌｌｂ、２ｌｌｃ、２ｌｌｄにおける再生を開始させるために、接続検出手段２１２の検出結果２１４は再生部２ｌｌａ、２ｌｌｂ、２ｌｌｃ、２ｌｌｄにも接続されている。
また、自動車の車両内には、それぞれの座席近傍に出力装置３１ａ、３１ｂ、３１ｃ、３１ｄが設置されていて、それぞれの出力装置は車載用映像音響機器２１内部の合成・分配部２１３に接続されている。
合成・分配部２１３は記憶装置接続端子１１ａ、１１ｂ、１１ｃ、１１ｄと座席Ａ、Ｂ、Ｃ、Ｄとを対応付け、検出結果２１４に基づき再生部２ｌｌａ、２ｌｌｂ、２ｌｌｃ、２ｌｌｄの再生出力を合成して、出力装置３１ａ、３１ｂ、３１ｃ、３１ｄに向けて分配している。尚、この実施例では出力装置３１ａ、３１ｂ、３１ｃ、３１ｄは、それぞれ映像表示装置３１１とスピーカ３１２から構成されている。
【０００９】
次に、実際の動作例について説明する。例えば、座席Ａ、Ｂ、Ｃ、Ｄに着席した乗員のそれぞれが保有する記憶装置１２ａ、１２ｂ、１２ｃ、１２ｄが記憶装置接続端子１１ａ、１１ｂ、１１ｃ、１１ｄに接続された場合を想定する。
まず、接続検出手段２１２はそれぞれの接続状態を検出する。図２は、記憶装置１２ａについて、車載映像音響機器２１との接続を詳細に示した実施例であり、接続検出線１３２ａは記憶装置１２ａ内部でグランド線１３３ａと接続され、記憶装置１２ａが記憶装置接続端子１１ａに接続されると、接続検出線１３２ａの電位が変化するように動作する。即ち、記憶装置１２ａが接続されていない場合は、接続検出線１３２ａは抵抗Ｒから供給される電圧Ｖｃｃの電位となり、記憶装置１２ａが接続されると、接続検出線１３２ａはグランドにショートされて電位がグランドレベルとなる。このように、記憶装置１２ａの接続の可否により、接続検出線１３２ａの電位が変化する。このようにして、接続検出手段２１２は接続検出線１３２ａの電位を監視することにより記憶装置１２ａの接続を検出している。
また、接続検出手段２１２が再生部２ｌｌａ、２ｌｌｂ、２ｌｌｃ、２１１  に対し接続検出を伝えると、コンテンツデータ１２１ａ、１２１ｂ、１２１ｃ、１２１ｄが通信線１３１ａ、１３１ｂ、１３１ｃ、１３１ｄを使ってロードされて、再生部２ｌｌａ、２ｌｌｂ、２ｌｌｃ、２ｌｌｄはそれぞれ再生を開始する。再生部２ｌｌａ、２ｌｌｂ、２ｌｌｃ、２ｌｌｄにおける再生結果は、合成・分配部２１３へ出力され、接続検出手段２１２の検出結果２１４に基づき再生結果が合成され、かつ出カ装置３１ａ、３１ｂ、３１ｃ、３１ｄのいずれかへ分配される。
尚、合成・分配部２１３における合成および分配の規則は、記憶装置接続端子１１ａ、１１ｂ、１１ｃ、１１ｄと出力装置３１ａ、３１ｂ、３１ｃ、３１ｄとを座席の位置をもとに関連付けて予め決めておく。
【００１０】
図３は合成・分配部２１３における合成および分配の規則の実施例を示す図である。この図で「Ｌ」は音声左チャネル、「Ｒ」は音声右チャネルを示す。図３に示したとおり、記憶装置接続端子１１ａ、１１ｂ、１１ｃ、１１ｄに対し、記憶装置１２ａ、１２ｂ、１２ｃ、１２ｄの全てがそれぞれ接続された場合には、再生部２ｌｌａ、２ｌｌｂ、２ｌｌｃ、２ｌｌｄで再生されたそれぞれの映像は、それぞれ座席Ａ、Ｂ、Ｃ、Ｄ近傍の映像表示装置３ｌｌａ、３ｌｌｂ、３ｌｌｃ、３ｌｌｄへ出力される。
音声については、例えば再生部２ｌｌａで再生された音声は、音声左チャネルと音声右チャネルとが合成されて、座席Ａの近傍のスピーカ３１２ａへ出カされている。また、再生部２ｌｌｂ、２ｌｌｃ、２ｌｌｄ  で再生された音声もそれぞれ同様に合成され、それぞれスピーカ３１２ｂ、３１２ｃ、３１２ｄ  へそれぞれ出力される。
【００１１】
また、記憶装置接続端子１１ａ、１１ｂ、１１ｃに対し記億装置１２ａ、１２ｂ、１２ｃがそれぞれ接続され、記憶装置接続端子１１ｄには何も接続されない場合には、後部座席の映像表示装置３ｌｌｃおよび３ｌｌｄには再生部１２ｌｃで再生された映像が出力され、後部座席のスピーカ３１２ｃ及び３１２ｄには再生部１２１ｃで再生された音声がステレオとして出カされている。このようこ、車載用マルチメディアシステム１は記憶装置１２ａ、１２ｂ、１２ｃ、１２ｄのいずれかが記憶装置接続端子１１ａ、１１ｂ、１１ｃ、１１ｄ  へ接続された場合に、当該記憶装置を保有する乗員の近傍の出力装置へ再生出力をするようにしたものである。
本実施例では、記憶装置接続端子に対し記憶装置が接続される例を説明したが、それに限定するものではなく、記憶装置に代わってデジタル放送チューナや通信モジュールなどが接続された場合にも同様に動作させることができる。この場合のコンテンツは放送もしくはネットからロードされる。
【図面の簡単な説明】
【００１２】
【図１】本発明の車載用マルチメディアシステムの構成例を示す図である。
【図２】記憶装置１２ａについて、車載映像音響機器２１との接続を詳細に示した図である。
【図３】合成・分配部２１３における合成および分配の規則の実施例を示す図である。
【図４】従来の車載用マルチメディアシステムの構成例を示す図である。
【図５】従来の車載用マルチメディアシステムの構成例を示す図である。
【符号の説明】
【００１３】
１  車載用マルチメディアシステム、１１ａ〜１１ｄ  記憶装置接続端子、１２ａ〜１２ｄ  記憶装置、１２１ａ〜１２１ｄ  コンテンツデータ、１３ａ〜１３ｄ  接続ケーブル、１３１ａ〜１３１ｄ  通信線、１３２ａ  〜１３２ｄ  接続検出線、１３３ａ〜１３３ｄ  電源線、２１  車載用映像音響機器、２１１ａ〜２１１ｄ  再生部、２１２  接続検出手段、２１３  合成・分配部、２１４  検出結果、３１ａ〜３１ｄ  出力装置、３１１ａ〜３１１ｄ  映像表示装置、３１２ａ〜３１２ｄ  スピーカ
【図１】
2010006227.tif 000003
【図２】
2010006227.tif 000004
【図３】
2010006227.tif 000005
【図４】
2010006227.tif 000006
【図５】
2010006227.tif 000007